【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
組成式（Ｙ１−ｘ−ｙ−ｚＬｕｘＧｄｙＣｅｚ）３＋ａＡｌ５−ａＯ１２（０≦ｘ≦０．９９９４、０≦ｙ≦０．０６６９、０．００１≦ｚ≦０．００４、−０．０１６≦ａ≦０．３１５）で表される組成を有する単結晶からなる、粒径（Ｄ５０）が２０μｍ以上の粒子状の蛍光体。
【請求項２】
粒径（Ｄ５０）が１２０μｍ以下である、
請求項１に記載の蛍光体。
【請求項３】
長辺が３０μｍ以上の粒子を含む、
請求項１又は２に記載の蛍光体。
【請求項４】
粒径（Ｄ５０）が４０μｍ以上である、
請求項１〜３のいずれか１項に記載の蛍光体。
【請求項５】
粒径（Ｄ５０）が６０μｍ以上である、
請求項１〜３のいずれか１項に記載の蛍光体。
【請求項６】
請求項１〜５のいずれか１項に記載された蛍光体と、
前記蛍光体を封止する透明な無機材料からなる封止部材、又は前記蛍光体の粒子同士を接合する無機材料からなるバインダーと、
を有する、蛍光体含有部材。
【請求項７】
請求項１〜５のいずれか１項に記載された蛍光体、及び前記蛍光体を封止する透明な無機材料からなる封止部材又は前記蛍光体の粒子同士を接合する無機材料からなるバインダーを有する、蛍光体含有部材と、
前記蛍光体を励起させるための青色光を発する発光素子と、
を有する、発光装置。
【請求項８】
前記発光素子はレーザーダイオードである、
請求項７に記載の発光装置。
【請求項９】
請求項１〜５のいずれか１項に記載された蛍光体、及び前記蛍光体を封止する透明な無機材料からなる封止部材又は前記蛍光体の粒子同士を接合する無機材料からなるバインダーを有する、蛍光体含有部材と、
前記蛍光体を励起させるための青色光を発する発光素子と、
前記蛍光体含有部材から発せられた蛍光を用いて画像を形成する画像形成部と、
前記画像形成部が形成した前記画像を外部の投影面に投影するレンズと、
を有する、プロジェクター。
【請求項１０】
前記発光素子はレーザーダイオードである、
請求項９に記載のプロジェクター。
【請求項１１】
組成式（Ｙ１−ｘ−ｙ−ｚＬｕｘＧｄｙＣｅｚ）３＋ａＡｌ５−ａＯ１２（０≦ｘ≦０．９９９４、０≦ｙ≦０．０６６９、０．００１≦ｚ≦０．００４、−０．０１６≦ａ≦０．３１５）で表される組成を有する単結晶蛍光体インゴットを粉砕し、前記組成を有する単結晶からなる、粒径（Ｄ５０）が２０μｍ以上の粒子状の蛍光体を形成する工程を含む、
蛍光体の製造方法。
【請求項１２】
前記粒子状の蛍光体の粒径（Ｄ５０）が１２０μｍ以下である、
請求項１１に記載の蛍光体の製造方法。
【請求項１３】
前記粒子状の蛍光体が長辺が３０μｍ以上の粒子を含む、
請求項１１又は１２に記載の蛍光体の製造方法。
【請求項１４】
前記粒子状の蛍光体の粒径（Ｄ５０）が４０μｍ以上である、
請求項１１〜１３のいずれか１項に記載の蛍光体の製造方法。
【請求項１５】
前記粒子状の蛍光体の粒径（Ｄ５０）が６０μｍ以上である、
請求項１１〜１３のいずれか１項に記載の蛍光体の製造方法。
【手続補正２】
【補正対象書類名】明細書
【補正対象項目名】０００６
【補正方法】変更
【補正の内容】
【０００６】
本発明の一態様は、上記目的を達成するために、下記［１］〜［５］の蛍光体を提供する。また、本発明の他の態様は、下記［６］の蛍光体含有部材を提供する。また、本発明の他の態様は、下記［７］、［８］の発光装置を提供する。また、本発明の他の態様は、下記［９］、［１０］のプロジェクターを提供する。また、本発明の他の態様は、下記［１１］〜［１５］の蛍光体の製造方法を提供する。
【手続補正３】
【補正対象書類名】明細書
【補正対象項目名】０００８
【補正方法】変更
【補正の内容】
【０００８】
［２］粒径（Ｄ５０：累積分布における５０ｖｏｌ％のときの粒径）が１２０μｍ以下である、前記［１］に記載の蛍光体。
［３］長辺が３０μｍ以上の粒子を含む、上記［１］又は［２］に記載の蛍光体。
［４］粒径（Ｄ５０）が４０μｍ以上である、上記［１］〜［３］のいずれか１項に記載の蛍光体。
［５］粒径（Ｄ５０）が６０μｍ以上である、上記［１］〜［３］のいずれか１項に記載の蛍光体。
【手続補正４】
【補正対象書類名】明細書
【補正対象項目名】０００９
【補正方法】変更
【補正の内容】
【０００９】
［６］上記［１］〜［５］のいずれか１項に記載された蛍光体と、前記蛍光体を封止する透明な無機材料からなる封止部材、又は前記蛍光体の粒子同士を接合する無機材料からなるバインダーと、を有する、蛍光体含有部材。
【手続補正５】
【補正対象書類名】明細書
【補正対象項目名】００１０
【補正方法】変更
【補正の内容】
【００１０】
［７］上記［１］〜［５］のいずれか１項に記載された蛍光体、及び前記蛍光体を封止する透明な無機材料からなる封止部材又は前記蛍光体の粒子同士を接合する無機材料からなるバインダーを有する、蛍光体含有部材と、前記蛍光体を励起させるための青色光を発する発光素子と、を有する、発光装置。
【手続補正６】
【補正対象書類名】明細書
【補正対象項目名】００１１
【補正方法】変更
【補正の内容】
【００１１】
［８］前記発光素子はレーザーダイオードである、上記［７］に記載の発光装置。
【手続補正７】
【補正対象書類名】明細書
【補正対象項目名】００１２
【補正方法】変更
【補正の内容】
【００１２】
［９］上記［１］〜［５］のいずれか１項に記載された蛍光体、及び前記蛍光体を封止する透明な無機材料からなる封止部材又は前記蛍光体の粒子同士を接合する無機材料からなるバインダーを有する、蛍光体含有部材と、前記蛍光体を励起させるための青色光を発する発光素子と、前記蛍光体含有部材から発せられた蛍光を用いて画像を形成する画像形成部と、前記画像形成部が形成した前記画像を外部の投影面に投影するレンズと、を有する、プロジェクター。
【手続補正８】
【補正対象書類名】明細書
【補正対象項目名】００１３
【補正方法】変更
【補正の内容】
【００１３】
［１０］前記発光素子はレーザーダイオードである、上記［９］に記載のプロジェクター。
【手続補正９】
【補正対象書類名】明細書
【補正対象項目名】００１４
【補正方法】変更
【補正の内容】
【００１４】
［１１］組成式（Ｙ１−ｘ−ｙ−ｚＬｕｘＧｄｙＣｅｚ）３＋ａＡｌ５−ａＯ１２（０≦ｘ≦０．９９９４、０≦ｙ≦０．０６６９、０．００１≦ｚ≦０．００４、−０．０１６≦ａ≦０．３１５）で表される組成を有する単結晶蛍光体インゴットを粉砕し、前記組成を有する単結晶からなる、粒径（Ｄ５０）が２０μｍ以上の粒子状の蛍光体を形成する工程を含む、蛍光体の製造方法。
【手続補正１０】
【補正対象書類名】明細書
【補正対象項目名】００１５
【補正方法】変更
【補正の内容】
【００１５】
［１２］前記粒子状の蛍光体の粒径（Ｄ５０）が１２０μｍ以下である、上記［１１］に記載の蛍光体の製造方法。
［１３］前記粒子状の蛍光体が長辺が３０μｍ以上の粒子を含む、上記［１１］又は［１２］に記載の蛍光体の製造方法。
［１４］前記粒子状の蛍光体の粒径（Ｄ５０）が４０μｍ以上である、上記［１１］〜［１３］のいずれか１項に記載の蛍光体の製造方法。
［１５］前記粒子状の蛍光体の粒径（Ｄ５０）が６０μｍ以上である、上記［１１］〜［１３］のいずれか１項に記載の蛍光体の製造方法。